(57)【特許請求の範囲】
【請求項１】
複数の加熱部と、前記複数の加熱部から所定の加熱部を選択する選択手段と、前記複数の加熱部の動作を設定する操作部と、前記複数の加熱部の異常を検知する異常検知手段と、前記操作部で設定された前記複数の加熱部の第１の設定状態に対応した表示をそれぞれ独立して行う第１の表示部と、前記選択手段で選択した前記所定の加熱部に対して前記操作部で設定した第２の設定状態に対応した表示と、前記異常検知手段が検知した異常状態に対応する表示を行う第２の表示部とを有し、前記第２の設定状態に設定された前記所定の加熱部以外の加熱部で異常が発生した際には、前記第２の表示部は、前記第２の設定状態に対応した表示と前記異常状態に対応した表示とを略同じ領域内で適宜切り替えて行うことができるようにした加熱調理器。
【請求項２】
選択手段で選択する毎に、第２の表示部は第２の設定状態に対応した表示と異常状態に対応した表示とを略同じ領域内で切り替えて行うようにした請求項１記載の加熱調理器。
【請求項３】
第２の表示部は第２の設定状態に対応した表示と異常状態に対応した表示とを略同じ領域内で時系列で交互に切り替えて行うようにした請求項１記載の加熱調理器。
【請求項４】
第２の表示部は文字表示手段と選択状態表示手段を有し、加熱部毎に前記文字表示手段が第２の設定状態あるいは異常状態に応じて表示を切り替えるのと同期して、前記選択状態表示手段が、その表示する色または場所を切り替えるようにした請求項１〜３の何れか１つに記載の加熱調理器。
【請求項５】
第２の表示部は光の透過率の差で文字を表示する文字表示手段と前記文字表示手段の表示面の略背面に配置された選択状態表示手段を有し、前記選択状態表示手段は、加熱部毎に前記文字表示手段が第２の設定状態あるいは異常状態に応じて表示を切り替えるのと同期して、前記加熱部毎に割り当てた異なる色の光を照射するようにした請求項１〜３の何れか１つに記載の加熱調理器。
【発明の詳細な説明】
【０００１】
【発明の属する技術分野】
本発明は、家庭用または業務用で使用される複数の加熱部を有する加熱調理器に関するものである。
【０００２】
【従来の技術】
近年、エレクトロニクスの発展に伴い、安全性、利便性を追求するために、高度な電子技術が加熱調理器という製品分野にまで応用されるに至っている。このような高機能の加熱調理器が普及して台数が増加いくに連れ、特に複数の加熱源を有した複合加熱調理器では、その構成の複雑さ故に様々な故障や不良が発生することが予想される。このため、製造者は故障や不良が発生しないように品質管理を行うことはもとより、発生した故障や不良に対してより迅速且つ的確な対応が求められることは言うまでもないことである。
【０００３】
こうした背景を鑑み、機器に異常が生じた場合には、通常、機器の動作状態を使用者に認知させるＬＥＤやＬＣＤ等の表示素子を有した表示部を利用して、例えば、設定した火力を表示するための複数のＬＥＤを異常の種類に応じて、通常とは異なる点灯或いは点滅をさせたり、タイマー設定時間などの数字・文字を表示可能な表示素子を有する場合には、その異常に応じた数字または文字等を表示させたりしてその異常状態を表示させ、あるいは音声等で報知させたりして、使用者に機器の異常を報知する手段を講じた加熱調理器が出現している。
【０００４】
以下に従来の加熱調理器の動作について図面に基づいて説明する。図２は従来例の構成を示すブロック図である。
【０００５】
図２において、２１は第１の加熱部、２２は第２の加熱部、２３は第１の加熱部２１及び第２の加熱部２２の動作状態を設定するスイッチ等で構成した操作部、２４は操作部２３で設定した第１の加熱部２１及び第２の加熱部２２の動作状態をそれぞれ表示するＬＥＤやＬＣＤで構成した表示部、２５は第１の加熱部２１及び第２の加熱部２２の異常を検知する異常検知手段である。
【０００６】
上記構成において、その動作を説明する。使用者が操作部２３のスイッチ等を操作することにより操作部２３は第１の加熱部２１または第２の加熱部２２に動作開始あるいは設定火力の信号を出力する。これを受けた第１の加熱部２１または第２の加熱部２２は加熱動作を開始したり、あるいは加熱動作中のものに対しては火力の設定を変える。これと同時に表示部２４は操作部２３で設定した各加熱部の設定状態に対応した表示をＬＥＤを点灯させる等して、例えば、第１の加熱部２１を加熱すると、第１の加熱部２１の動作表示用の「加熱」ＬＥＤと同時に初期の加熱火力である、「弱」「中」「強」等のＬＥＤの内の「強」ＬＥＤを点灯させて表示する。
【０００７】
また、表示部２４はＬＣＤで構成された数字表示素子を第１の加熱部２１に対して有しており、操作部２３でタイマー設定された場合は、第１の加熱部２１のタイマー設定時間を表示部２４の数字表示素子に表示する。このタイマー設定キーを押す度に設定時間を増加させて所望の設定時間を得ることができる。
【０００８】
更に、第１の加熱部２１または第２の加熱部２２で異常が発生した場合には、その異常を異常検知手段２５が検知し、表示部２４でその異常に対応した表示を行う。例えば、第１の加熱部２１において、備えている温度検知素子（図示せず）が破壊して温度検知を正常に行えない状態になった場合では、異常検知手段２５がこの異常を検知して、この異常内容に対応した異常表示、本従来例では表示部２４の第１の加熱部２１用の表示領域内に配置された「加熱」、「強」、「中」、「弱」を示すＬＥＤの内、「強」ＬＥＤと「弱」ＬＥＤを交互に点灯させる等、機器が正常動作時に行う表示とは異なる表示を行う。第２の加熱部２２においても同様である。これによって、使用者は機器に異常が発生していることを認知すると共に、製造者に上記した異常表示内容を電話などの口頭あるいはファクシミリ等を用いて書面で通知し、製造者はこの通知内容から機器の何に異常が発生しており、どういった対応を行えば良いのかを判断できる。
【０００９】
以上のように複数の加熱部に対して、その動作状態を独立した表示要素を割り当てて個々に表示することで、タイマー等の付加機能を実現させると共に、各加熱部で異常が発生した場合には表示部に通常使用では生じない表示を行うことによって使用者に機器の異常を報知するものであった。
【００１０】
【発明が解決しようとする課題】
しかしながら、以上のような従来の加熱調理器では、火力設定用のＬＥＤの点灯・点滅の組み合わせで異常表示する場合には、発生することが予想される数の分だけその組み合わせが存在するため、使用者がこの異常に気づいても、即座に何が異常なのかを認知することは難しいし、電話などで製造者に問い合わせるにしても言葉での説明が困難であったり、意志疎通がうまく図れないために製造者に情報伝達が確実に行うことができず、結局何の異常かが分からないままサービスマンが使用者を訪れなくてはならないため迅速な処理ができないという課題を有していた。
【００１１】
また、数字表示素子を用いて文字や数字で異常表示を行う場合、上記従来例のように特に機能面、構造面、コスト面等の制約で数字表示素子を１つしか有していない複数の加熱源を持った加熱調理器においては、１つの加熱源で上記数字表示素子等を用いてタイマー調理の残時間表示を行っている時に、他の加熱源で異常が発生した場合には、残時間表示を停止或いはタイマー調理自体を中止して異常表示を行う等の処理をしなくてはならず、異常のない正常動作する加熱源に対しての使用制限が加わり使い勝手が悪いという課題を有していた。
【００１２】
本発明は、上記課題を解決するもので、数字・文字表示素子の数が１つで表示文字数に限りがある場合においても、タイマー調理等で数字・文字表示素子を使用中の加熱部以外の加熱部で異常が発生しても、調理を停止することなく該当加熱部の異常を表示して、異常の起こっていない加熱部に対しての使い勝手を損なうことの無い、安価で、使い勝手の良い、サービス性に優れた加熱調理器を提供することを目的とする。
【００１３】
【課題を解決するための手段】
上記課題を解決するために本発明は、複数の加熱部から所定の加熱部を選択する選択手段と、複数の加熱部の動作を設定する操作部と、複数の加熱部の異常を検知する異常検知手段と、操作部で設定された複数の加熱部の第１の設定状態に対応した表示をそれぞれ独立して行う第１の表示部と、選択手段で選択した所定の加熱部に対して操作部で設定した第２の設定状態に対応した表示と、異常検知手段が検知した異常状態に対応する表示を行い、第２の設定状態に設定された所定の加熱部以外の加熱部で異常が発生した際には、第２の設定状態に対応した表示と異常状態に対応した表示とを略同じ領域内で適宜切り替えて行う第２の表示部とを具備したものであり、この手段により複数の加熱部は操作部の設定によって各加熱部で単独に動作可能で、各々独立した第１の設定状態、例えば、手動調理の強・中・弱といった火力設定で別々の被加熱対象となる調理物あるいは調理物の入った容器等を同時に加熱できると共に、第１の表示部にそれぞれの第１の設定状態を表示できる。
【００１４】
また、選択手段で所定の加熱部を選択し、選択された所定の加熱部に対して、操作部で設定した第２の設定状態、例えば、調理タイマー機能や自動調理機能等、に動作を切り替えると共に、第２の表示部にその第２の設定状態に応じた表示、例えば調理タイマー機能における設定時間や自動調理機能における調理メニュー等を表示することができる。
【００１５】
更に、第２の設定状態に設定された所定の加熱部以外の加熱部で異常が発生した際には、第２の設定状態に対応した表示と異常状態に対応した表示とを略同じ領域内で適宜切り替えて行うことができる。
【００１６】
【発明の実施の形態】
本発明の目的は、各請求項に記載した構成を実施の形態とすることにより達成することができるので、以下には各請求項の特徴とする構成に作用を併記して実施の形態の意義を理解しやすく説明することとする。
【００１７】
請求項１に記載の発明は、複数の加熱部と、前記複数の加熱部から所定の加熱部を選択する選択手段と、前記複数の加熱部の動作を設定する操作部と、前記複数の加熱部の異常を検知する異常検知手段と、前記操作部で設定された前記複数の加熱部の第１の設定状態に対応した表示をそれぞれ独立して行う第１の表示部と、前記選択手段で選択した前記所定の加熱部に対して前記操作部で設定した第２の設定状態に対応した表示と、前記異常検知手段が検知した異常状態に対応する表示を行う第２の表示部とを有し、前記第２の設定状態に設定された前記所定の加熱部以外の加熱部で異常が発生した際には、前記第２の表示部は、前記第２の設定状態に対応した表示と前記異常状態に対応した表示とを略同じ領域内で適宜切り替えて行うことができる構成としたものであり、この構成は複数の加熱部を有しているので、調理物あるいは調理物の入った容器等の被加熱対象を個々に加熱して調理を行うことができる。
【００１８】
また、操作部を有しているので、使用者が各加熱部を加熱開始・停止あるいは加熱火力等の第１の設定状態にすることができる。そして、その第１の表示部を有しているので、各々の加熱部に対する第１の設定状態に対応した表示を独立して表示して使用者に認知させることができる。選択手段で選択した所定の加熱部に対しては、第２の設定状態にすることができるので、タイマー設定や自動調理設定といった付加的な動作に設定すると共にこの第２の設定状態に対応した表示を第２の表示部で表示して使用者に認知させることができる。
【００１９】
異常検知手段で異常を検知した加熱部に対しては、第２の表示部がその異常状態に対応した表示を行うことができるので、使用者に機器の異常を認知させることができる。また、第２の設定状態で動作している所定の加熱部以外の加熱部で異常が発生した時には、所定の加熱部の第２の設定状態に対応した表示と、異常の発生している加熱部の異常状態に対応した表示とを略同じ領域内で適宜切り替えて行うことができるので、所定の加熱部の第２の設定状態を解除もしくは動作を停止することなく、各加熱部毎の動作状態を使用者に認知させることができると共に、第２の表示部を１つの数字表示素子等を利用して実現可能で、第２の表示部の構成を簡素化し、第２の設定状態表示と異常状態表示情報を一カ所に集約して第２の表示部の、操作部及び表示部全体に対する占有面積を小さくし、操作部及び表示部全体の大きさを小さくできるという作用を有する。
【００２０】
請求項２に記載の発明は、請求項１記載の構成とすると共に、選択手段で選択する毎に、第２の表示部は第２の設定状態に対応した表示と異常状態に対応した表示とを切り替えて行う構成としたものであり、第２の設定状態で動作している所定の加熱部以外の加熱部で異常が発生している時に、第２の表示部は選択手段で各加熱部を選択する毎に選択した加熱部の動作状態、第２の設定状態に対応した表示または異常状態に対応した表示、を切り替えて表示することができるので、使用者の意図に応じて所望の加熱部の動作状態を認知することができるという作用を有する。
【００２１】
請求項３に記載の発明は、請求項１記載の構成とすると共に、第２の表示部は第２の設定状態に対応した表示と異常状態に対応した表示とを略同じ領域内で時系列で交互に切り替えて行う構成としたものであり、使用者は操作部を何ら操作することなく、第２の設定状態で動作している加熱部と異常が発生している加熱部全ての動作状態に対応した表示を時系列に交互に認知できるという作用を有する。
【００２２】
請求項４に記載の発明は、請求項１〜３の何れか１つに記載の構成とすると共に、第２の表示部は文字表示手段と選択状態表示手段を有し、加熱部毎に前記文字表示手段が第２の設定状態あるいは異常状態に応じて表示を切り替えるのと同期して、前記選択状態表示手段が、その表示する色または場所を切り替える構成としたものであり、選択状態表示手段が第２の設定状態で動作している加熱部と異常の発生している加熱部に異なる表示色あるいは表示場所を割り当てて、文字表示手段が表示している第２の設定状態または異常状態はどの加熱部のものなのかを、使用者に認知させ易くするという作用を有する。
【００２３】
請求項５に記載の発明は、請求項１〜３の何れか１つに記載の構成とすると共に、第２の表示部は光の透過率の差で文字を表示する文字表示手段と前記文字表示手段の表示面の略背面に配置された選択状態表示手段を有し、前記選択状態表示手段は、加熱部毎に前記文字表示手段が第２の設定状態あるいは異常状態に応じて表示を切り替えるのと同期して、前記加熱部毎に割り当てた異なる色の光を照射する構成としたものであり、選択状態表示手段を液晶表示素子等の文字表示手段とこの文字表示手段の表示面の略背面に配置された発光ダイオード等の発光素子で実現でき、選択状態表示手段の配置場所を文字表示手段の背面にして第２の表示部の表示部全体に対する占有表示面積を低減できる。また、選択状態表示手段が異常の発生している加熱部毎に異なる発光色を割り当てて、文字表示手段が表示している第２の設定状態または異常状態はどの加熱部のものなのかを、使用者に認知させ易くするという作用を有する。
【００２４】
【実施例】
以下本発明の実施例を図面に基づいて説明する。図１は本発明の実施例の構成を示すブロック図である。
【００２５】
図１において、１は第１の加熱部、２は第２の加熱部、３は第１の加熱部１及び第２の加熱部２の設定状態を設定すると共に選択手段３ａを備え、スイッチ等で構成した操作部、４は操作部３で設定した第１の加熱部１及び第２の加熱部２の第１の設定状態に対応した表示をそれぞれ独立して表示するＬＥＤやＬＣＤで構成した第１の表示部、５は第１の加熱部１及び第２の加熱部２で発生した異常を検知する異常検知手段、６は選択手段３ａにて選択された加熱部に対して操作部３で設定した第２の設定状態、本実施例ではタイマー設定状態に対応した表示と異常検知手段５で検知した異常状態に対応した文字や数字を表示するＬＥＤやＬＣＤで構成した第２の表示部である。
【００２６】
上記構成において、その動作を説明する。使用者が操作部３のスイッチ等を操作することにより操作部３は第１の加熱部１または第２の加熱部２に動作開始あるいは設定火力の信号を出力する。これを受けた第１の加熱部１または第２の加熱部２は加熱動作を開始したり、あるいは加熱動作中のものに対しては火力の設定を変える等の設定状態に移行する。これと同時に第１の表示部４は操作部３で設定した各加熱部の設定状態を表示している。この時、第１の表示部４はＬＥＤで構成された動作表示要素を各加熱部に対応して独立して有しているので、使用者はどの加熱部がどのような設定状態で動作しているのかを容易に視認することができる。
【００２７】
例えば、第１の加熱部１の第１の設定状態を設定する場合には、図１に示す第１の操作領域７の「切／入」キー７ａ、「火力アップ」キー７ｂ、「火力ダウン」キー７ｃで、第１の加熱部１の加熱開始と停止は「切／入」キー７ａを押す毎に設定でき、加熱中に「火力アップ」キー７ｂまたは「火力ダウン」キー７ｃを押せば、第１の加熱部１の加熱火力を設定することができる。これと同時に第１の表示部４の第１の表示領域９内の加熱状態を示すＬＥＤ９ａ、火力設定状態を示すＬＥＤ９ｂに、設定されている状態を点灯・消灯によって表示する。加熱中であれば加熱状態を示す「加熱」ＬＥＤ９ａを点灯させ、加熱停止中であれば消灯させる。また、火力設定状態は火力設定状態を示すＬＥＤ９ｂの中の、設定されている火力、本実施例では「強」・「中」・「弱」といった火力、に対応したＬＥＤを点灯させる。同様に第２の加熱部２の設定状態を設定する場合には、図１に示す第２の操作領域８の「切／入」キー８ａ、「火力アップ」キー８ｂ、「火力ダウン」キー８ｃで、第２の加熱部２の加熱開始と停止は「切／入」キー８ａを押す毎に設定でき、加熱中に「火力アップ」キー８ｂまたは「火力ダウン」キー８ｃを押せば、第２の加熱部２の加熱火力を設定することができる。これと同時に第１の表示部４の第２の表示領域１０内の加熱状態を示す「加熱」ＬＥＤ１０ａ、火力設定状態を示すＬＥＤ１０ｂに設定されている状態を点灯・消灯によって表示する。加熱中であれば加熱状態を示す「加熱」ＬＥＤ１０ａを点灯させ、加熱停止中であれば消灯させる。また、火力設定状態は火力設定状態を示すＬＥＤ１０ｂの中の、設定されている火力、本実施例では「強」・「中」・「弱」といった火力、に対応したＬＥＤを点灯させる。
【００２８】
また、タイマー設定を行う場合には、図１に示す第３の操作領域１２の中の選択手段３ａの「選択」キーで所望の加熱部を選択する。この場合、「選択」キーを押す度に、選択する所望の加熱部を変更することができる。こうすることで、選択可能な加熱部の数だけスイッチを設けることなく、複数の加熱部から所望の加熱部を選択することができる。この後、第３の操作領域１２の中の「分」キー１２ａを押すことによってタイマー調理の時間を設定する。本実施例では「分」キー１２ａを１回押す度にタイマー設定時間を１分づつ増加させている。タイマー調理をやめるときは「取消」キー１２ｂを押す。これと同時に第２の表示部６の第３の表示領域１１内に配置され、選択された加熱部を表す「第１」ＬＥＤ６ａまたは「第２」ＬＥＤ６ｂを点灯させ、「分」キー１２ａを押す毎に数字表示素子６ｃの表示を「０」から１刻みに増加させて表示している。
【００２９】
例えば、第２の加熱部２にタイマー調理をさせる場合には、まず、選択手段３ａの「選択」キーを２回押して、第２の加熱部２を選択し、次に「分」キー１２ａを、所望の調理時間になるまで押して、本実施例では３回押して３分に、調理時間を設定する。これと同時に第２の表示部６は、第２の加熱部２が選択されていることを示す「第２」ＬＥＤ６ｂを点灯させ、数字表示素子６ｃは「３」を表示する。その後、「切／入」キー８ａが押されると、第１の表示部４の第２の表示領域１０の加熱状態を示すＬＥＤ１０ａを点灯させると共に、加熱火力は火力設定状態を示すＬＥＤ１０ｂの中の初期値である「強」の位置のＬＥＤを点灯させている。そして、調理時間の進行と共に数字表示素子６ｃはその表示している数字を減じた値を「０」になるまで表示する。第２の加熱部２は設定された調理時間になると自動的に加熱を停止すると共に、第１の表示部４は第２の表示領域１０内のＬＥＤを消灯し、第２の表示部６も第３の表示領域１１の表示を消灯する。
【００３０】
次に、第１の加熱部１または第２の加熱部２で異常が発生した場合は、その異常を異常検知手段５が検知し、第２の表示部６でその異常に対応した表示を行う。例えば、第１の加熱部１において、備えている温度検知素子が破壊して温度検知を正常に行えない状態になった場合では、異常検知手段５がこの異常を検知して、この異常内容に対応した異常表示、本実施例では第２の表示部６の第３の表示領域１１内に配置された２桁７セグメントの数字表示可能なＬＣＤ６ｃを用いて「Ｈ１」を表示させ、第２の表示部６の第３の表示領域１１内に配置された該当する加熱部を表す「第１」ＬＥＤ６ａを点灯させる。同様に、第２の加熱部２において、備えている温度検知素子が破壊して温度検知を正常に行えない状態になった場合では、異常検知手段５がこの異常を検知して、この異常内容に対応した異常表示、本実施例ではＬＣＤ６ｃを用いて「Ｈ１」を表示させ、第２の表示部６の第３の表示領域１１内に配置された該当する加熱部を表す「第２」ＬＥＤ６ｂを点灯させる。これによって、使用者は機器のどの加熱部に異常が発生しているか、その異常はどういったものなのかを視覚的に認知することができる。
【００３１】
更に、第１の加熱部１が第２の設定状態であるタイマー調理状態である時に、異常検知手段５が第２の加熱部の異常、本実施例では備えている温度検知素子が破壊して温度検知を正常に行えない状態になったこと、を検知した場合には、第２の表示部６は、第１の加熱部１のタイマー動作状態に対応する表示と、第２の加熱部２で発生している温度検知異常状態に対応した表示とを時系列で交互に切り替えて表示する。つまり、ＬＣＤ６ｃを用いて第１の加熱部１のタイマー調理の残時間、本実施例では５分を示す「５」と、「第１」ＬＥＤ６ａを所定時間、本実施例では約１秒間点灯表示させる。この時「第２」ＬＥＤ６ｂは消灯している。この直後、ＬＣＤ６ｃでの表示「５」と、「第１」ＬＥＤ６ａを消灯した後、ＬＣＤ６ａで第２の加熱部２の温度検知異常状態を示す「Ｈ１」と、「第２」ＬＥＤ６ｂを約１秒間点灯させる。この動作を繰り返すことで、第１の加熱部１のタイマー調理動作を継続しつつ、この調理の残時間と第２の加熱部２で生じている異常状態を第２の表示部６に表示して使用者に、第１の加熱部１のタイマー調理の進行状況と第２の加熱部２の温度検知異常をほぼ同時に認知させることができる。視認性の向上のため第１の加熱部１のタイマー調理状態表示と第２の加熱部２の異常状態表示との間に何も表示、点灯させないブランク期間を設けても良い。
【００３２】
あるいは、第２の加熱部２が温度検知異常で、ＬＣＤ６ａで第２の加熱部２の温度検知異常状態を示す「Ｈ１」と、「第２」ＬＥＤ６ｂを点灯表示させている時には、「選択」キー３ａを押して、第１の加熱部１を選択すると、ＬＣＤ６ａで「Ｈ１」表示と「第２」ＬＥＤ６ｂの点灯表示を約１秒間表示した後、ＬＣＤ６ｃにタイマー設定時間の初期値、本実施例では「１」分表示、と「第１」ＬＥＤ６ａを約１秒間表示する。これを交互に繰り返す。この後「分」キー１２ａを押す毎に第１の加熱部１のタイマー設定時間を１づつ増加させて表示する。
【００３３】
これにより、正常な加熱部の第２の設定状態での動作に影響を及ぼすことなく、使用者は機器の異常状態をも的確に認知でき、製造者に電話など口頭で機器の異常状態を的確に伝達することができる。
【００３４】
また、選択状態表示手段である「第１」ＬＥＤ６ａ、「第２」ＬＥＤ６ｂの代わりに、１つの２色発光ＬＥＤを用いて、例えば赤と緑の２色発光ＬＥＤで、第１の加熱部１の動作状態を表示中は赤を、第２の加熱部２の動作状態を表示中は緑を発光するようにしても同様の効果を得ることができると共に、ＬＥＤ１つ分の部品点数削減ができ、第３の表示領域１１の面積を小さくできる。あるいは、ＬＣＤ６ｃにどの加熱部のための表示かを示すセグメントを設けておけば、ＬＥＤ等を用いないので、更にＬＥＤ１つ分の部品点数削減ができ、第３の表示領域１１の面積を小さくできる。
【００３５】
また、文字表示手段であるＬＣＤ６ｃを透過型として、この表示面の背面に上記した２色発光ＬＥＤや表示色の異なる単色発光ＬＥＤをバックライトとして配置し、ＬＣＤ６ｃの表示内容に同期して発光色を変化させても同様の効果が得られると共に、ＬＥＤが全てＬＣＤ６ｃの背面に配置しているので、第３の表示領域１１はＬＣＤ６ｃの表示面のみで済み、第３の表示領域１１の面積を小さくできる。
【００３６】
以上は各加熱部の第２の設定状態または異常状態を時系列的に切り替えて表示する例であるが、時系列的に表示せずとも、スイッチで構成した選択手段３ａを押す毎に、各加熱部の第２の設定状態または異常状態の表示を切り替えることで、同様の効果を得ることができ、加えて、所望の加熱部の第２の設定状態または異常状態を使用者が選択して表示させることができる。
【００３７】
以上のように本実施例によれば、第２の表示部６の第３の表示領域１１内に配設された、文字表示手段である１つの数字表示素子と選択状態表示手段である２つのＬＥＤで、複数の加熱部の個々の動作状態、つまり第２の設定状態と異常状態を、第２の設定状態で正常に動作している加熱部の機能の制約をすることなく、選択手段である「選択」キーの操作等で、使用者の意図に合致させて所望の加熱部の動作状態を表示したり、あるいはキー操作等なしで、時系列的に交互に複数の加熱部の、複数の動作状態を加熱部毎に切り替えて表示させることができるので、全表示領域面積の増加を抑制できると共に、使用者は機器の動作状態を的確に認知でき、また製造者に電話など口頭でも機器の異常状態を的確に伝達することができる。
【００３８】
尚、本実施例では加熱部が２つ存在する場合について述べているが、３つ以上存在する場合でも同様の効果を得られる。また、第２の表示部６での異常状態に対応した表示は、英数字の組み合わせに限らず、使用者やサービスマンが容易に認識できる記号や文字であっても同様の効果をもたらす。更に、本実施例では、ＬＣＤやＬＥＤ等の視覚に訴える場合を述べているが、聴覚的な手段、例えば、音声合成を用いた１つのスピーカや、吹鳴周波数と吹鳴リズム変化させる１つのブザーといった音声を用いても同様の効果が得られる。
【００３９】
【発明の効果】
以上の説明から明らかなように、請求項１記載の発明によれば、第２の設定状態で動作している加熱部の動作に影響を与えることなく、第２の設定状態で動作している加熱部の第２の設定状態に対応した表示と、第２の設定状態で動作している加熱部以外の加熱部で発生している異常状態に対応した表示とを切り替えてほぼ同じ表示領域内で表示させることができるので、全表示領域面積を増加させることなく、使用者に的確に機器の異常状態を認知させることができると共に、使用者が製造者に口頭で発生している異常状態を的確に伝達できる。
【００４０】
請求項２記載の発明によれば、使用者の意図と合致した加熱部の動作状態を表示できる。
【００４１】
請求項３記載の発明によれば、キー操作を行うことなく、第２の設定状態に対応した表示と異常状態に対応した表示を行うことができる。
【００４２】
請求項４記載の発明によれば、第２の表示部での表示がどの加熱部に対するものなのかを容易に使用者に認知させることができる。
【００４３】
請求項５記載の発明によれば、第２の表示部での表示がどの加熱部に対するものなのかを容易に使用者に認知させることができると共に、第２の表示部の表示領域を小さくできる。
【図面の簡単な説明】
【図１】本発明の実施例の加熱調理器の構成を示すブロック図
【図２】従来の加熱調理器の構成を示すブロック図
【符号の説明】
１  第１の加熱部
２  第２の加熱部
３  操作部
３ａ  選択手段
４  第１の表示部
５  異常検知手段
６  第２の表示部
６ａ、６ｂ  選択状態表示手段
６ｃ  文字表示手段
７  第１の操作領域
８  第２の操作領域
９  第１の表示領域
１０  第２の表示領域
１１  第３の表示領域
１２  第３の操作領域
【図１】
0003719117.tif 000002
【図２】
0003719117.tif 000003